(57)【要約】【課題】曲名を簡単に知ることができるようにする。【解決手段】端末３５は、ユーザが喫茶店などで、たまたま流れていた音楽を入出力部４２を操作することにより、記憶部４４に記憶されるようになされている携帯可能な機器である。記憶部４４に記憶された情報は、処理部４５により読み出され、所定の処理が施され、ストレージ部４６に記憶される。この記憶された情報は、通信部４０により、サーバに転送される。サーバは、転送された情報に対応する曲名をデータベースから読み出し、その結果を端末３５に送信する。【選択図】図２
2006323849.tif 000002
【特許請求の範囲】
【請求項１】
メロディを取り込むためのマイクと、
前記マイクにより取り込まれたメロディを記憶媒体に記録する記録手段と、
検索サーバと情報の送受信を行う通信手段と、
前記通信手段が、前記記憶媒体に記録されるメロディをネットワークを介して前記検索サーバに送信し、前記検索サーバから、前記メロディと同一のメロディを有する可能性のあるコンテンツのタイトルを含む関連情報を受信し、前記関連情報に対応するコンテンツデータを要求するための情報を前記検索サーバに送信し、前記情報に応じて、前記検索サーバから送信された前記関連情報に対応するコンテンツデータを受信するように制御する制御手段と
を備える情報処理装置。
【請求項２】
前記メロディの雑音を抑制する信号処理手段を
さらに備える請求項１に記載の情報処理装置。
【請求項３】
前記制御手段は、前記記録手段が前記記憶媒体にメロディを記録するとき、その時の日時の情報も同時に前記記憶媒体に記録するように制御する
請求項１に記載の情報処理装置。
【請求項４】
前記メロディを流していた媒体の情報を入力する入力手段を有し、
前記制御手段は、前記通信手段が、前記メロディと共に、前記媒体の情報を前記検索サーバに送信するように制御する
請求項１に記載の情報処理装置。
【請求項５】
前記通信手段により受信された、前記コンテンツのタイトルを含む関連情報を表示する表示手段と、
前記表示手段により表示された関連情報から、前記一の関連情報を選択する選択手段と
をさらに備える請求項１に記載の情報処理装置。
【請求項６】
前記通信手段により受信された前記コンテンツデータを出力するスピーカと、
前記スピーカから出力されるコンテンツデータが所望のものであるか否かを入力する入力手段とをさらに備え、
前記制御手段は、
前記入力手段により前記コンテンツデータが所望のものでない旨が入力されたとき、前記表示手段に前記関連情報を再び表示するように制御し、
前記入力手段により前記コンテンツデータが所望のものである旨が入力されたとき、コンテンツデータを記憶媒体に記録するように制御する
請求項５に記載の情報処理装置。
【請求項７】
コンテンツのタイトルを含む関連情報と当該コンテンツ自体であるコンテンツデータとが対応付けられているデータベースを蓄積する蓄積手段と、
情報処理装置と情報の送受信を行う通信手段と、
前記情報処理装置から送信されたメロディと同一のメロディを有する可能性のあるコンテンツのタイトルを含む関連情報を、前記蓄積手段に蓄積されている前記関連情報から検索する検索手段と、
前記通信手段が、前記情報処理装置により送信された、前記メロディを受信し、前記検索手段により検索された前記関連情報を前記情報処理装置に送信し、前記情報処理装置により送信された、前記関連情報に対応するコンテンツデータを要求するための情報を受信し、前記蓄積手段により読み出された、前記関連情報に対応するコンテンツデータを、前記情報処理装置に送信するように制御する制御手段と
を備える検索サーバ。
【請求項８】
前記データベースは、更に、前記コンテンツのタイトルを含む関連情報と、当該コンテンツの放送時刻とが対応付けられており、
前記検索手段は、前記情報処理装置から送信された、メロディと、当該メロディが記録された日時情報に基づいて、当該メロディに対応するコンテンツのタイトルを含む関連情報を前記データベースから検索する
請求項７に記載の検索サーバ。
【請求項９】
前記データベースは、更に、前記コンテンツのタイトルを含む関連情報と、当該コンテンツが放送された媒体の情報とが対応付けられており、
前記検索手段は、前記情報処理装置から送信された、メロディと、当該メロディが放送された媒体の情報に基づいて、当該メロディに対応するコンテンツのタイトルを含む関連情報を前記データベースから検索する
請求項７に記載の検索サーバ。
【請求項１０】
マイクよりメロディを取り込むステップと、
前記マイクにより取り込まれたメロディを記憶媒体に記録するステップと、
前記記憶媒体に記録されるメロディをネットワークを介して検索サーバに送信するステップと、
前記検索サーバから、前記メロディと同一のメロディを有する可能性のあるコンテンツのタイトルを含む関連情報を受信するステップと、
前記関連情報に対応するコンテンツデータを要求するための情報を前記検索サーバに送信するステップと、
前記情報に応じて、前記検索サーバから送信された前記関連情報に対応するコンテンツデータを受信するステップと
を含むコンピュータが読み取り可能なプログラムが記憶されている記録媒体。
【請求項１１】
情報処理装置のマイクより取り込まれたメロディを受信するステップと、
コンテンツのタイトルを含む関連情報と当該コンテンツ自体であるコンテンツデータとが対応付けられているデータベースから、前記受信されたメロディと同一のメロディを有する可能性のあるコンテンツのタイトルを含む関連情報を検索するステップと、
前記検索された前記関連情報を前記情報処理装置に送信するステップと、
前記情報処理装置により送信された、前記関連情報に対応するコンテンツデータを要求するための情報を受信するステップと、
前記データベースにより読み出された、前記関連情報に対応するコンテンツデータを、前記情報処理装置に送信するように制御するステップと
を含むコンピュータが読み取り可能なプログラムが記憶されている記録媒体。
【発明の詳細な説明】
【技術分野】
【０００１】
本発明は、情報処理装置、検索サーバ、記録媒体に関し、特に、ユーザの気に入った情報を何処にいても記憶でき、その記憶された情報を基に、関連情報を取得できるようにした情報処理装置、検索サーバ、記録媒体に関する。
【背景技術】
【０００２】
テレビジョン放送やラジオ放送を視聴している際、その番組に流れている音楽に興味を持ち、その音楽に関連する情報、例えば、歌手名や曲名を知りたいと思うような場合がある。
【０００３】
例えば、その放送が、ＦＭラジオ放送である場合、いわゆる見えるラジオ（搬送周波数の隙間に、放送している曲の情報をテキスト情報として流しているラジオ）を介して、その曲の情報を取得することができる。また、その放送が地上波テレビジョン放送である場合、インタキャストを用いて、その曲の情報をダウンロードすることが可能である。
【特許文献１】特表平７−５００７１５号公報
【発明の開示】
【発明が解決しようとする課題】
【０００４】
しかしながら、歌手名や曲名といった関連情報を取得するためには、それぞれの放送に対応した端末が必要であった。その為、例えば、外出先などにおいて視聴した音楽の関連情報を取得することはできなかった。
【０００５】
本発明はこのような状況に鑑みてなされたものであり、関連情報を迅速かつ確実に取得できるようにするものである。
【課題を解決するための手段】
【０００６】
本発明の一側面の情報処理装置は、メロディを取り込むためのマイクと、前記マイクにより取り込まれたメロディを記憶媒体に記録する記録手段と、検索サーバと情報の送受信を行う通信手段と、前記通信手段が、前記記憶媒体に記録されるメロディをネットワークを介して前記検索サーバに送信し、前記検索サーバから、前記メロディと同一のメロディを有する可能性のあるコンテンツのタイトルを含む関連情報を受信し、前記関連情報に対応するコンテンツデータを要求するための情報を前記検索サーバに送信し、前記情報に応じて、前記検索サーバから送信された前記関連情報に対応するコンテンツデータを受信するように制御する制御手段とを備える。
【０００７】
前記メロディの雑音を抑制する信号処理手段をさらに備えるようにすることができる。
【０００８】
前記制御手段は、前記記録手段が前記記憶媒体にメロディを記録するとき、その時の日時の情報も同時に前記記憶媒体に記録するように制御するようにすることができる。
【０００９】
前記メロディを流していた媒体の情報を入力する入力手段を有し、前記制御手段は、前記通信手段が、前記メロディと共に、前記媒体の情報を前記検索サーバに送信するように制御するようにすることができる。
【００１０】
前記通信手段により受信された、前記コンテンツのタイトルを含む関連情報を表示する表示手段と、前記表示手段により表示された関連情報から、前記一の関連情報を選択する選択手段とをさらに備えるようにすることができる。
【００１１】
前記通信手段により受信された前記コンテンツデータを出力するスピーカと、前記スピーカから出力されるコンテンツデータが所望のものであるか否かを入力する入力手段とをさらに備え、前記制御手段は、  前記入力手段により前記コンテンツデータが所望のものでない旨が入力されたとき、前記表示手段に前記関連情報を再び表示するように制御し、前記入力手段により前記コンテンツデータが所望のものである旨が入力されたとき、コンテンツデータを記憶媒体に記録するように制御するようにすることができる。
【００１２】
本発明の一側面の検索サーバは、コンテンツのタイトルを含む関連情報と当該コンテンツ自体であるコンテンツデータとが対応付けられているデータベースを蓄積する蓄積手段と、情報処理装置と情報の送受信を行う通信手段と、前記情報処理装置から送信されたメロディと同一のメロディを有する可能性のあるコンテンツのタイトルを含む関連情報を、前記蓄積手段に蓄積されている前記関連情報から検索する検索手段と、前記通信手段が、前記情報処理装置により送信された、前記メロディを受信し、前記検索手段により検索された前記関連情報を前記情報処理装置に送信し、前記情報処理装置により送信された、前記関連情報に対応するコンテンツデータを要求するための情報を受信し、前記蓄積手段により読み出された、前記関連情報に対応するコンテンツデータを、前記情報処理装置に送信するように制御する制御手段とを備える。
【００１３】
前記データベースは、更に、前記コンテンツのタイトルを含む関連情報と、当該コンテンツの放送時刻とが対応付けられており、前記検索手段は、前記情報処理装置から送信された、メロディと、当該メロディが記録された日時情報に基づいて、当該メロディに対応するコンテンツのタイトルを含む関連情報を前記データベースから検索するようにすることができる。
【００１４】
前記データベースは、更に、前記コンテンツのタイトルを含む関連情報と、当該コンテンツが放送された媒体の情報とが対応付けられており、前記検索手段は、前記情報処理装置から送信された、メロディと、当該メロディが放送された媒体の情報に基づいて、当該メロディに対応するコンテンツのタイトルを含む関連情報を前記データベースから検索する。
【００１５】
本発明の一側面の第１の記録媒体は、マイクよりメロディを取り込むステップと、前記マイクにより取り込まれたメロディを記憶媒体に記録するステップと、前記記憶媒体に記録されるメロディをネットワークを介して検索サーバに送信するステップと、前記検索サーバから、前記メロディと同一のメロディを有する可能性のあるコンテンツのタイトルを含む関連情報を受信するステップと、前記関連情報に対応するコンテンツデータを要求するための情報を前記検索サーバに送信するステップと、前記情報に応じて、前記検索サーバから送信された前記関連情報に対応するコンテンツデータを受信するステップとを含むコンピュータが読み取り可能なプログラムが記憶されている。
【００１６】
本発明の一側面の第２の記録媒体は、情報処理装置のマイクより取り込まれたメロディを受信するステップと、コンテンツのタイトルを含む関連情報と当該コンテンツ自体であるコンテンツデータとが対応付けられているデータベースから、前記受信されたメロディと同一のメロディを有する可能性のあるコンテンツのタイトルを含む関連情報を検索するステップと、前記検索された前記関連情報を前記情報処理装置に送信するステップと、前記情報処理装置により送信された、前記関連情報に対応するコンテンツデータを要求するための情報を受信するステップと、前記データベースにより読み出された、前記関連情報に対応するコンテンツデータを、前記情報処理装置に送信するように制御するステップとを含むコンピュータが読み取り可能なプログラムが記憶されている。
【００１７】
本発明の一側面の情報処理装置および第１の記録媒体においては、マイクにより取り込まれたメロディが記憶媒体に記録され、記憶媒体に記録されているメロディがネットワークを介して検索サーバに送信され、検索サーバからのメロディと同一のメロディを有する可能性のあるコンテンツのタイトルを含む関連情報が受信され、関連情報に対応するコンテンツデータを要求するための情報が検索サーバに送信され、情報に応じて、検索サーバから送信された関連情報に対応するコンテンツデータが受信される。
【００１８】
本発明の一側面の検索サーバおよび第２の記録媒体においては、コンテンツのタイトルを含む関連情報と当該コンテンツ自体であるコンテンツデータとが対応付けられているデータベースが蓄積され、情報処理装置から送信されたメロディと同一のメロディを有する可能性のあるコンテンツのタイトルを含む関連情報が、蓄積されている関連情報から検索され、その検索結果である関連情報が情報処理装置に送信され、情報処理装置により送信された関連情報に対応するコンテンツデータを要求するための情報が受信され、関連情報に対応するコンテンツデータが情報処理装置に送信される。
【発明の効果】
【００１９】
本発明の一側面によれば、ユーザが、容易に所望の情報を迅速かつ確実に取得することが可能となる。
【発明を実施するための最良の形態】
【００２０】
図１は、本発明の情報処理システムの構成例を示す図である。サーバ１５は、詳細な情報を蓄積しているデータベース１０を有している。通信装置３０は、電話回線または専用回線で構成されるネットワーク２０を介して端末３５とサーバ１５が通信できるようにするための装置である。
【００２１】
なお、端末３５を、PHS（Personal Handy-phone System）、PDC（Personal Degital Celler）などで構成した場合、その内部に通信機能が組み込まれているので、通信装置３０は省略することができる。
【００２２】
図２は、端末３５の構成を示すブロック図である。この端末３５は、サーバ１５と直接通信可能なように、通信処理を行うことができる通信部４０を備える構成とされている。表示部４１は、さまざまな情報を表示する。入出力部４２には、音楽などの情報を取り込むためのマイク、音楽などの情報を出力するためのスピーカ、および端末３５を操作するのに必要なボタンなどが備えられている。制御部４３は、例えばCPU（Central Processing Unit）により構成され、各部を制御する。記憶部４４は、入出力部４２から入力された情報を一旦記憶する、例えばRAM（Randam Access Memory）で構成されている。
【００２３】
処理部４５は、記憶部４４に記憶された情報の雑音を軽減するためのフィルタや、情報に組み込まれているデータを読み出すための回路などから構成されている。処理部４５により処理を施された情報は、ストレージ部４６に転送される。ストレージ部４６は、転送された情報と通信部４０が受信した情報を蓄積する。ストレージ部４６は、フロッピディスクなどの着脱可能な記録媒体で構成しても良いし、固定式の記録媒体で構成しても良い。各部は、バス４７で相互に接続されている。
【００２４】
以下、図２の端末３５の動作について、図３のフローチャートを参照して説明する。まず前提として、ユーザが、端末３５を携帯しているときに、例えば喫茶店において、たまたま流れていた音楽に興味を持ったとする。
【００２５】
ステップＳ１１において、端末３５にある入出力部４２が操作される。入出力部４２には、ユーザが音楽を録音させたいときに押される録音ボタン、および音楽を取り込むためのマイクが備え付けられており、そのボタンが、ステップＳ１１において、押されることにより、マイクを介して音楽が取り込まれる。
【００２６】
ステップＳ１２において、制御部４３は、録音ボタンが押されている間に入出力部４２から取り込まれた音楽を記憶部４４に記憶させる。この場合、流れていた音楽を、そのまま記憶させる他、ユーザ自身の口笛や鼻歌などによる音楽を記憶させるようにしても良い。
【００２７】
ステップＳ１３において、処理部４５は記憶部４４に記憶された音楽を読み出し、所定の処理を施す。まず、喫茶店などで録音した音楽には多くの雑音が含まれているので、その雑音を抑制する処理を行う。さらに、雑音が抑制された音楽に、例えば図４に示したようなデータ列が組み込まれていた場合、そのデータ列を取り出す。
【００２８】
データ列５１は、複数の同じ内容のフレーム５２から構成されている。このように同じ内容のフレーム５２を繰り返し音楽に組み込むのは、ユーザがいつこの音楽を端末３５に録音するかが不明なので、いつ録音されても対応できるようにするためである。
【００２９】
１つのフレーム５２は、先頭コード５３と固有コード５４とから構成されている。固有コード５４は、その音楽固有の番号（識別コード）である。先頭コード５３は、固有コード５４が何処から始まるのかを示すために付けられている。よって、端末３５の処理部４５は、このデータ列５１を読み出した際、先頭コード５３を見つけだし、その後に続く固有データ５４を抽出し、ストレージ部４６に転送し、蓄積させる。
【００３０】
図４の例では、先頭コード５３として０ｘＦＥＤＣが、固有コード５４として０１０１０１２２２２２が、それぞれ設定されている。
【００３１】
このデータ列５１を音楽に組み込むためのデータハイディング技術として、例えば、日経エレクトロニクス、１９９７．２．２４号、Ｐ１４９乃至Ｐ１６２、および同誌、１９９７．３．１０号、Ｐ１５３乃至１６８に開示されている技術を用いることができる。この方法には、位相を利用する方法、エコーを利用する方法、音の差分を利用する方法などがあり、それぞれに対応した回路を、処理部４５に用いることにより、音楽に組み込まれたデータ列５１を取り出すことが可能である。
【００３２】
このデータハイディング技術により、その音楽の曲名や歌手名、アルバム名といった情報を、全て組み込んでしまうことが可能である。しかし、たくさんの情報を音楽に組み込むと、それだけ雑音成分が増加する。そこで、後でその音楽に関する情報を検索する際、その音楽を特定することができる情報を音楽に組み込めばよい。例えば、固有コード５４として、ISRC（国際標準レコーディングコード）を用いることができる（ISRCに関する詳細は、社団法人、日本レコード協会発行のISRC運用基準に記述されている）。このISRCは、全ての音楽、１つ１つに対して割り当てられているので、これにより、１つの音楽を特定することが可能である。このISRCは、アルファベットと数字を含む１２桁の英数文字で構成されている。
【００３３】
各レコード会社は、このISRCに付随する情報として、そのアルバムの作品名、歌手名、作曲者名、作詞者名、ジャンルなどを管理している。従って、この情報を、ISRCと関連付けてデータベース１０（図１）に蓄積しておけば、ISRCから詳細な情報を取得することが可能となる。以下、固有コード５４にISRCが用いられているものとして、説明をする。
【００３４】
ステップＳ１４において、処理部４５は、ステップＳ１３において、ISRCを読み出した場合は、そのISRCを、ISRCが読み出せなかった（音楽にISRCが組み込まれていなかった）場合は、その音楽を、ストレージ部４６に転送し、蓄積させる。従って、ストレージ部４６には、雑音が取り除かれた音楽、またはISRCが蓄積される（以下、これらの情報を元情報と記述する）。その際、記憶された日時の情報が制御部４３が内蔵するタイマから転送され、同時に記憶される。なお、ユーザ自身が、その音楽を聴いた時の日時を入出力部４２を操作することにより入力し、元情報とともにストレージ部４６に記憶させるようにしても良い。
【００３５】
また、ユーザが音楽を録音する際に、その音楽を流していた媒体（例えば、テレビジョン、ラジオなど）について、入出力部４２から入力した場合、その情報も一緒に蓄積される。ユーザは、必ずしもこの情報を入力する必要はないが、入力しておくと、それを利用して、音楽を特定することが可能となる。
【００３６】
図５は、ストレージ部４６に記憶された元情報を基に、その音楽に関連する情報を取得する処理を説明するためのフローチャートである。この処理は、ユーザが入出力部４２の所定のボタンを操作した時に開始される。
【００３７】
ステップＳ２１において、端末３５の制御部４３は、ストレージ部４６に記憶されている元情報の内の１つを通信部４０から、ネットワーク２０を介して、サーバ１５に送信する。
【００３８】
ステップＳ２２においてサーバ１５は、送信されてきた元情報は、ISRCを含むか否かを判断する。サーバ１５は、ISRCが含まれていないと判断した場合、換言すれば、音楽そのもの（メロディ）が送信されてきたと判断した場合、ステップＳ２３に進み、そのメロディと同一のメロディを有する可能性のある音楽を、データベース１０から検索する。そして、検索された音楽の曲名、歌手名といったその音楽に関連する情報が、端末３５に送信される。
【００３９】
受信した音楽に日時やメディアの情報が付加されている場合、その情報を用いて検索が行われる。例えば、「１月１日」、「午前８時」、「テレビジョン」という情報が付加されていた場合、データベース１０の１月１日の午前８時前後にテレビジョンで放送されていた音楽のファイルが検索される。このように検索する範囲を狭めることにより、迅速な検索が可能となるばかりでなく、候補を絞り込むことが可能となる。
【００４０】
ステップＳ２４において、端末３５の制御部４３は、サーバ１５から送信された候補を、通信部４０を介して受信すると、それを表示部４１に表示させ、ユーザが、送信された候補のうち１つを選択し、その選択結果を入出力部４２から入力するのを待機する。
【００４１】
ステップＳ２５において、制御部４３は、ユーザが選択した候補をサーバ１５に送信する。ステップＳ２６において、サーバ１５は、受信した候補に対応する詳細な情報をデータベース１０から読み出し、端末３５に送信する。この詳細な情報には、その音楽そのものが含まれている。
【００４２】
端末３５においては、受信した音楽のデータが、入出力部４２に供給され、そのスピーカから出力される。ステップＳ２７において、ユーザは、その音楽を聴き、その音楽は、所望していた音楽であるか否かを判断し、その判断結果を入出力部４２から入力する。そして、制御部４３は、入出力部４２からの入力に応じた処理をする。つまり、ユーザが、聴いた音楽は所望の音楽ではないと判断し、入出力部４２からその判断結果を入力した場合、制御部４３は、ステップＳ２４に戻り、表示部４１に再び候補を表示させる。その際、一度詳細な情報を受信した候補については、他の候補と異なる色で表示されるか、または、全く表示されない。
【００４３】
ステップＳ２４乃至Ｓ２７の処理は、ユーザが所望の音楽の詳細な情報を取得できるまで繰り返される。
【００４４】
一方、ステップＳ２７において、ユーザが、聴いた音楽は所望の音楽であると判断し、入出力部４２からその判断結果を入力した場合、制御部４３は、受信した詳細な情報を、ストレージ部４６に記憶させる。
【００４５】
一方、ステップＳ２２において、サーバ１５が、受信した元情報はISRCである判断した場合、ステップＳ２９に進む。ステップＳ２９において、サーバ１５は、受信したISRCに対応する詳細な情報をデータベース１０から読み出し、端末３５に送信する。
【００４６】
そして、ステップＳ２８において、制御部４３により、送信された詳細な情報は、ストレージ部４６に記憶される。このとき曲名は、表示部４１に表示される。サーバ１５から端末３５に伝送される詳細な情報には、音楽データだけでなく、曲名なども勿論含まれている。単に曲名だけが判れば良い場合には、音楽データの伝送は省略し、曲名だけを伝送するようにしても良い。
【００４７】
上述した詳細な情報を取得する処理は、ユーザが都合の良いときに入出力部４２を操作したときに開始される。ストレージ部４６に複数の元情報がある場合、ステップＳ２１乃至Ｓ２９の処理は、１つの元情報毎に、全ての元情報が詳細な情報と入れ換えられるまで繰り返し行われる。
【００４８】
図６と図７は、詳細な情報を取得する他の方法を説明するためのフローチャートである。まず図６のステップＳ３１において、端末３５の入出力部４２が操作され、音楽が取り込まれる。取り込まれた音楽は、ステップＳ３２において、制御部４３により、記憶部４４に一旦記憶される。そして、ステップＳ３３において、処理部４５が記憶部４４に記憶された音楽を読み出し、雑音を抑制し、ISRCを読みだす。そして、ステップＳ３４において、制御部４３は、読み出したISRCまたは音楽（元情報）そのものを、サーバ１５に送信する。
【００４９】
ステップＳ３５において、サーバ１５は、送信されてきた元情報は、ISRCを含むか否かを判断する。サーバ１５が、送信された元情報は、ISRCを含まないと判断した場合、換言すれば、音楽そのもの（メロディ）であると判断した場合、ステップＳ３６に進み、そのメロディと同一のメロディを有する音楽をデータベース１０から検索し、その検索結果を候補（関連情報）として、端末３５に送信する。
【００５０】
端末３５の制御部４３は、ステップＳ３７において、送信された全ての候補を、ストレージ部４６に記憶させる。
【００５１】
一方、ステップＳ３５において、サーバ１５が、送信されてきた元情報は、ISRCを含むと判断した場合、ステップＳ３８に進む。ステップＳ３８において、サーバ１５は、送信されてきたISRCに対応する詳細な情報をデータベース１０から検索し、端末３５に送信する。送信された詳細な情報は、ステップＳ３７において、端末３５内のストレージ部４６に記憶される。
【００５２】
以上のステップＳ３１乃至Ｓ３８の各処理は、ユーザが音楽を記録する毎に行われる。
【００５３】
図７は、ストレージ部４６に記憶された候補から詳細な情報を取得する処理を説明するためのフローチャートである。ユーザは都合の良い時に、端末３５の入出力部４２を操作し、以下に示す処理をスタートさせる。処理の開始が指示されたとき端末３５の制御部４３は、ストレージ部４６に記憶されている候補を読み出し、表示部４１に表示させ、ユーザが、その中の１つを選択し、その選択結果を入出力部４２から入力するのを待機する。以下のステップＳ４２乃至Ｓ４５の各処理は、図５のステップＳ２５乃至Ｓ２８までの各処理と同様の処理なので、その説明は省略する。
【００５４】
なお、上述した実施の形態においては、ネットワーク２０を介してサーバ１５と端末３５の通信を行うようにしたが、他の通信方法を用いても良い。また、音楽に組み込ませる情報として、ISRCを用いたが、他のコード体系を用いても良い。
【００５５】
図８は、端末３５の他の構成例を表すブロック図である。この例は、図２の通信部４０を情報蓄積部６１に変えた構成とされている。この情報蓄積部６１には、音楽に関する詳細な情報が格納されている。従って、サーバ１５に通信することなく、この情報蓄積部６１を検索することにより、詳細な情報が得られるようになされている。この情報蓄積部６１は、例えばＩＣカードなどによって実現され、端末３５に対して着脱可能とされ、さらにジャンル別、歌手別といったように分類されたカードが用意されている。従って、これらのカードを入れ換えることにより、所望の詳細な情報が取得できるようになされている。また、週毎、月毎など、所定の期間毎に、情報蓄積部６１に蓄積されている情報を、ネットワーク２０などを介して更新させるような仕組みにしても良い。
【００５６】
図２と図８で示した端末３５の付加機能として、同じ音楽がストレージ部４６に２度以上記録された場合、そのことをユーザに知らせるようにしても良い。このようにすると、ユーザに、その音楽が好みであることを新ためて認識させることができるので便利である。
【００５７】
なお、上述した実施の形態においては、ユーザが端末３５に記録する対象として音楽を例として説明したが、他の情報においても本発明を適用することが可能である。
【００５８】
上記各処理を行うプログラムは、フロッピディスク、ＣＤ−ＲＯＭなどの記録媒体に記録し、これをユーザに配布することで伝送したり、ネットワークなどの伝送媒体を介して伝送したりして、ハードディスク、メモリなどに記憶させることで伝送することができる。
【図面の簡単な説明】
【００５９】
【図１】本発明の情報処理システムの一実施の形態の構成を示す図である。
【図２】図１の端末３５の構成を示すブロック図である。
【図３】記憶処理を説明するためのフローチャートである。
【図４】音楽に組み込まれる情報の例を示す図である。
【図５】詳細な情報の取得処理を説明するためのフローチャートである。
【図６】他の記憶処理を説明するためのフローチャートである。
【図７】詳細な情報の他の取得処理を説明するためのフローチャートである。
【図８】図１の端末３５の他の構成例を示すブロック図である。
【符号の説明】
【００６０】
１０  データベース，  １５  サーバ，  ２０  ネットワーク，  ３０  通信装置，  ３５  端末，  ４０  通信部，  ４１  表示部，  ４２  入出力部，  ４３  制御部，  ４４  記憶部，  ４５  処理部，  ４６  ストレージ部，  ４７  バス，  ５１  データ列，  ５２  フレーム，  ５３  先頭コード，  ５４  固有コード，  ６１  情報蓄積部
【図１】
2006323849.tif 000003
【図２】
2006323849.tif 000004
【図３】
2006323849.tif 000005
【図４】
2006323849.tif 000006
【図５】
2006323849.tif 000007
【図６】
2006323849.tif 000008
【図７】
2006323849.tif 000009
【図８】
2006323849.tif 000010